(57)【要約】【課題】  がたつきを効果的に防止できるとともに、デザイン性を向上でき、かつ突起の数を少なくすることのできる浴室排水口用蓋を提供すること。【解決手段】  排水口部１５が設けられた浴室の洗い場フロア１２における排水口部１５の開口側部分に収容凹部１２ａを形成し、この収容凹部１２ａに、洗い場フロア１２の水を排水口部１５に排水可能にした状態で、略四角板状の蓋２０を着脱自在に取り付けた。そして、蓋２０の角部に対応する部分を、曲面部２３ａ等で構成し、その曲面部２３ａ等にそれぞれ表面を曲面状にした突起２７ａ等を形成した。また、蓋２０を収容凹部１２ａから取り外す際に使用する操作用凹部２２を設けた。さらに、縁部２０ｂ等に、蓋２０を収容凹部１２ａから取り出しやすくするための抜け勾配を設けた。そして、蓋２０の形状を、蓋２０の設置位置が一定になるようにした。【選択図】  図３
2005139738.tif 000002
【特許請求の範囲】
【請求項１】
排水口が設けられた浴室の洗い場フロアにおける前記排水口の開口側部分に収容凹部を形成し、前記洗い場フロアの水を前記排水口に排水可能にした状態で、前記収容凹部に着脱自在に取り付けられる浴室排水口用蓋であって、前記浴室排水口用蓋の側面に曲面部を形成し、前記曲面部に、前記収容凹部の周面に接触して前記浴室排水口用蓋のがたつきを防止するとともに、前記収容凹部の周面と前記浴室排水口用蓋の側面との間に排水用の隙間を形成するための突起を、表面を曲面状にして複数個設けたことを特徴とする浴室排水口用蓋。
【請求項２】
前記浴室排水口用蓋を、略四角形の板状に形成するとともに、前記略四角形の角部に対応する部分を曲面部に形成した請求項１に記載の浴室排水口用蓋。
【請求項３】
前記側面の所定部分に、前記浴室排水口用蓋を前記収容凹部から取り外す際に使用する操作用凹部を設けた請求項１または２に記載の浴室排水口用蓋。
【請求項４】
前記曲面部を複数個形成し、前記複数個の曲面部のうちの少なくとも一つの曲面部または前記複数個の突起のうちの少なくとも一つの突起の形状を他のものと異なる形状にすることにより、前記浴室排水口用蓋の前記収容凹部内での設置位置が一定になるようにした請求項１ないし３のうちのいずれか一つに記載の浴室排水口用蓋。
【発明の詳細な説明】
【技術分野】
【０００１】
本発明は、浴室の洗い場フロアに設けられた排水口に取り付けられる浴室排水口用蓋に関する。
【背景技術】
【０００２】
従来から、例えば、ユニット型の浴室の洗い場フロアには、排水口が設けられて、洗い場で使用する湯水や、浴槽から溢れ出る湯を排水管を介して外部に排出できるようになっている。そして、洗い場フロアにおける排水口の上方には、排水口用の蓋を取り付けるための凹部が設けられ、この凹部に蓋が、洗い場フロアの床面と略同じ高さになるように取り付けられている。これによって、排水口が隠れ、美観が向上するとともに、排水口が塞がれて安全性が向上する（例えば、特許文献１）。
【０００３】
この蓋は、四角形の板状に形成され、各側面の両側部分に、それぞれ２個のスペーサー用の突起が設けられている。したがって、この蓋は、がたつかないようにして凹部に取り付けられ、洗い場フロアから凹部に向って流れてくる湯水は、凹部の周面と蓋の側面との間に形成された隙間から排水口に向って流れて行く。
【特許文献１】特開２００１−２４８２００号公報
【発明の開示】
【０００４】
しかしながら、前述した従来の浴室排水口用の蓋では、スペーサー用の突起が直線状の側面から突出しているため、目立ちデザイン性が低下するという問題がある。また、突起の数が多いため製造が面倒になりコストが高くなるという問題もある。さらに、四角形に形成された蓋の直線状の側面にそれぞれ突起が形成されているため、蓋の斜め方向へのがたつきが生じやすくなるという問題もある。
【０００５】
本発明は、上記問題に対処するためになされたもので、その目的は、がたつきを効果的に防止できるとともに、デザイン性を向上でき、かつ突起の数を少なくすることのできる浴室排水口用蓋を提供することである。
【０００６】
上記の目的を達成するため、本発明にかかる浴室排水口用蓋の構成上の特徴は、排水口が設けられた浴室の洗い場フロアにおける排水口の開口側部分に収容凹部を形成し、洗い場フロアの水を排水口に排水可能にした状態で、収容凹部に着脱自在に取り付けられる浴室排水口用蓋であって、浴室排水口用蓋の側面に曲面部を形成し、曲面部に、収容凹部の周面に接触して浴室排水口用蓋のがたつきを防止するとともに、収容凹部の周面と浴室排水口用蓋の側面との間に排水用の隙間を形成するための突起を、表面を曲面状にして複数個設けたことにある。
【０００７】
前述したように構成した本発明の浴室排水口用蓋では、側面に曲面部を形成し、その曲面部にスペーサー用の突起を設けている。そして、突起の表面は曲面状にしている。この場合、突起の表面は、側面の曲面部に近い形状の曲面状に形成することが好ましい。これによると、曲面部に表面が曲面状の突起を設けるため、突起が目立たなくなりデザイン性が向上するとともに、突起の数を少なくすることができる。例えば、浴室排水口用蓋の形状を略四角形にして、その角部に対応する部分を曲面部に形成した場合には、突起は最小４個で済む。
【０００８】
また、突起によって、収容凹部の周面と浴室排水口用蓋の側面との間には隙間が形成されるため、洗い場フロアから収容凹部に向って流れる湯水は、その隙間から効率よく排水口に排水される。さらに、浴室排水口用蓋は、略四角形の外、種々の形状に形成することができ、略三角形、略五角形、さらに多角の略多角形、円形および楕円形等、一部に曲面部からなる側面を備えている板状の形状であればどのような形状にでも形成することができる。
【０００９】
本発明にかかる浴室排水口用蓋の他の構成上の特徴は、側面の所定部分に、浴室排水口用蓋を収容凹部から取り外す際に使用する操作用凹部を設けたことにある。これによると、浴室排水口用蓋を収容凹部から取り出す際の作業がさらに容易になるとともに、排水路が大きくなるため排水をより効果的に行えるようになる。
【００１０】
本発明にかかる浴室排水口用蓋のさらに他の構成上の特徴は、曲面部を複数個形成し、複数個の曲面部のうちの少なくとも一つの曲面部または複数個の突起のうちの少なくとも一つの突起の形状を他のものと異なる形状にすることにより、浴室排水口用蓋の収容凹部内での設置位置が一定になるようにしたことにある。これによると、浴室排水口用蓋の取り付け位置に間違いが生じなくなり、浴室排水口用蓋を常に一定の適正状態で収容凹部に取り付けることができる。
【発明を実施するための最良の形態】
【００１１】
以下、本発明の一実施形態を図面を用いて説明する。図１は、本発明に係る浴室排水口用の蓋２０を備えた浴室ユニットＹを示している。この浴室ユニットＹは、浴槽１０を備えており、浴槽１０は、浴槽フロア１１の上面に設置されている。そして、浴槽フロア１１の長手方向に沿った一方の縁部には、洗い場フロア１２が接続され、浴槽フロア１１と洗い場フロア１２との周囲および上方に、図示しない壁パネルや天井パネル等が設置されている。浴室ユニットＹを構成する浴槽１０、浴槽フロア１１および洗い場フロア１２等の各本体部分は、それぞれ樹脂の成形体で構成されている。
【００１２】
浴槽１０には、湯を溜めるための凹部１０ａが設けられ、その底部に凹部１０ａ内の湯や水を排出するための金属製の排水栓１３が設けられている。また、浴槽１０の縁部上面１０ｂにおける一方の角部に凹部１０ａ内に湯や水を入れるための水栓１４と、排水栓１３を開閉操作するための押しボタン式の操作スイッチ１３ａとが設けられている。
【００１３】
浴槽フロア１１と洗い場フロア１２との対向する縁部には、互いに係合できる係合部（図示せず）が設けられており、この係合部を係合させることによって、浴槽フロア１１と洗い場フロア１２は接続されている。そして、洗い場フロア１２における浴槽１０の縁部に沿った略中央部分に、収容凹部１２ａが設けられている。洗い場フロア１２の床面は、外周縁部からこの収容凹部１２ａにかけて緩やかな下りになった傾斜面に形成されている。また、図２に示すように、収容凹部１２ａの底部中央には穴部１２ｂが設けられ、この穴部１２ｂには排水口を構成する排水口部１５が取り付けられている。
【００１４】
排水口部１５は、略円筒状の部材で構成されており、その上端外周部に外側に向って延びるフランジ状突起１５ａが設けられ、下端内周部に内側に向って延びるフランジ状突起１５ｂが設けられている。そして、排水口部１５は、断面形状のそれぞれ両側に位置する部分の形状がＵ字状で全体形状がリング状に形成されたシール材１６を介して排水管１７の開口縁部に連結されている。すなわち、このシール材１６は、穴部１２ｂの周縁部１２ｃに沿って、その周縁部１２ｃの上下面および内周面を被覆するように取り付けられている。
【００１５】
そして、シール材１６の上面にフランジ状突起１５ａの下面が押し付けられ、シール材１６の下面に排水管１７の開口縁部に設けられたフランジ状突起１７ａが押し付けられている。また、排水口部１５の外周面と排水管１７の開口縁部の内周面には、互いに螺合可能なねじが設けられており、このねじの螺合により、排水口部１５と排水管１７とはシール材１６を介して周縁部１２ｃを挟んだ状態で洗い場フロア１２に固定されている。そして、排水口部１５のフランジ状突起１５ｂの中央穴部に、湯水を通過させるための挿通孔１８ａを有する金属製の目皿１８が着脱可能に取り付けられている。
【００１６】
また、収容凹部１２ａにおける底面と周面との角部に周面に沿って一定間隔で蓋２０を置くための支持台１２ｄが複数個設けられている。蓋２０は、収容凹部１２ａの周面との間に湯水を通過させるための隙間を設け、収容凹部１２ａに着脱可能な状態で、支持台１２ｄ上に取り付けられている。したがって、洗い場フロア１２の床面に流れた湯水は、収容凹部１２ａに向かって流れ、蓋２０と収容凹部１２ａの周面との隙間から収容凹部１２ａ内に入り、排水口部１５から排水管１７に排水される。
【００１７】
蓋２０は、図３ないし図５に示したように、下面中央が凹部２１に形成された平面視が略四角形の熱硬化樹脂（ＳＭＣ）からなる板状体で構成されている。そして、蓋２０の一方の縁部２０ａの中央側部分は、蓋２０の中央側に向って滑らかな曲面状に抉られた操作用凹部２２に形成され、縁部２０ａと、その両側の縁部２０ｂ，２０ｃとの角部はそれぞれ円弧状の曲面部２３ａ，２３ｂに形成されている。
【００１８】
操作用凹部２２のＲ形状（曲面形状）と曲面部２３ａ，２３ｂのＲ形状とは連続した曲面からなる形状に形成されており、操作用凹部２２の中央部から、それぞれ曲面部２３ａ，２３ｂに向って徐々に、曲面の曲率半径が小さくなるように設定されている。また、縁部２０ａに対向する他方の縁部２０ｄと、その両側の縁部２０ｂ，２０ｃとの角部はそれぞれ曲面部２３ａ，２３ｂよりも大きな円弧状の曲面部２４ａ，２４ｂに形成されている。
【００１９】
蓋２０の縁部２０ｂ，２０ｃ，２０ｄの上端は、それぞれ同じ高さに設定され、縁部２０ａの上端は、縁部２０ｂ等と略等しい高さに設定された曲面部２３ａ，２３ｂの上端から操作用凹部２２の中央部に向って徐々に低くなっている。また、蓋２０の上面には、縁部２０ｄの上端から操作用凹部２２の中央部に向って下り傾斜になった略三角形の平面状傾斜面２５ａと、縁部２０ｂ，２０ｃの上端からそれぞれ操作用凹部２２の中央部に向って下り傾斜になった略三角形の平面状傾斜面２５ｂ，２５ｃとの３個の平面部が形成されている。
【００２０】
そして、平面状傾斜面２５ａと平面状傾斜面２５ｂとの境界部は、平面状傾斜面２５ａと平面状傾斜面２５ｂとの間に角部をなくし滑らかに繋ぐための曲面状傾斜面２６ａが形成されている。また、平面状傾斜面２５ａと平面状傾斜面２５ｃとの境界部は、平面状傾斜面２５ａと平面状傾斜面２５ｃとの間に角部をなくし滑らかに繋ぐための曲面状傾斜面２６ｂが形成されている。曲面状傾斜面２６ａ，２６ｂは、平面状傾斜面２５ａ，２５ｂ，２５ｃの傾斜に沿って、それぞれ曲面部２４ａ，２４ｂ側が高く、操作用凹部２２側が低くなっている。したがって、操作用凹部２２の中央部は、蓋２０の上面の中で最も低い位置になるとともに、蓋２０の中央側に向って最も抉れた部分になる。
【００２１】
また、蓋２０の周面を構成する縁部２０ａ，２０ｂ，２０ｃ，２０ｄおよび曲面部２３ａ，２３ｂ，２４ａ，２４ｂは、それぞれ上部が蓋２０の中央側に傾斜して抜き勾配が設けられている。そして、曲面部２３ａ，２３ｂの中央下部側部分には、平面視が略半円状の突起２７ａ，２７ｂが設けられている。また、曲面部２４ａの両側下部側部分（曲面部２４ａと縁部２０ｂとの境界部および曲面部２４ａと縁部２０ｄとの境界部）には、それぞれ突起２７ａ，２７ｂよりも突出量の少ない突起２８ａ，２８ｂが設けられ、曲面部２４ｂの両側下部側部分（曲面部２４ｂと縁部２０ｄとの境界部および曲面部２４ｂと縁部２０ｃとの境界部）には、それぞれ突起２８ａ，２８ｂと同形の突起２８ｃ，２８ｄが設けられている。
【００２２】
また、蓋２０の上面には、それぞれ操作用凹部２２に向って延びる浅く細い溝２９が模様のように設けられている。なお、この蓋２０は、縦横の長さが略１９０ｍｍに設定され、高さが１７ｍｍに設定されている。そして、平面視における曲面部２３ａ，２３ｂの曲率半径は２０ｍｍに設定され、突起２７ａ，２７ｂの曲率半径は１０ｍｍに設定されている。また、平面視における曲面部２４ａ，２４ｂの曲率半径は４５ｍｍに設定され、突起２８ａ，２８ｂ，２８ｃ，２８ｄの曲率半径は１０ｍｍに設定されている。
【００２３】
また、縁部２０ｂ，２０ｃ，２０ｄおよび曲面部２３ａ，２３ｂ，２４ａ，２４ｂの上部の垂直面上での曲率半径は５ｍｍに設定されている。そして、操作用凹部２２の中心部の垂直面上での曲率半径は１５ｍｍに設定され、操作用凹部２２の中心部からそれぞれ曲面部２３ａ，２３ｂに向って曲率半径は徐々に小さくなるように設定されている。さらに、縁部２０ｂ，２０ｃ，２０ｄの抜き勾配は垂直方向に対して３度の角度に設定されている。
【００２４】
また、収容凹部１２ａの平面視における形状は、突起２７ａ，２８ａ，２８ｂ，２８ｃ，２８ｄ，２７ｂの頂部を結ぶ形状に形成され、突起２８ａ，２８ｂ間および突起２８ｃ，２８ｄ間に対応する部分は曲面部２４ａ，２４ｂと一定間隔を保った曲線形状に形成されている。そして、突起２７ａ，２７ｂ間に対応する部分は直線形状に形成されている。したがって、収容凹部１２ａの周面と操作用凹部２２の表面との間には大きな開口が形成される。
【００２５】
また、浴槽１０の排水栓１３の下方にも排水口部１５や目皿１８と同様の部材からなる排水構造が設けられており、その排水構造が備える排水管は、前述した排水管１７と連通している。したがって、排水栓１３を開けて浴槽１０内の湯や水を排水すると、その湯や水は、洗い場フロア１２から排水される湯水と同じ排水路によって外部に排水される。
【００２６】
この構成において、洗い場フロア１２の床面で、洗髪や体の洗浄をして、湯や水を使用した場合には、その使用後の湯や水は、洗い場フロア１２の床面の傾斜に沿って収容凹部１２ａ側に向って流れ、一部の湯水は、直接収容凹部１２ａの周面と蓋２０との間に形成された隙間を通って、収容凹部１２ａ内に流れる。そして、排水口部１５の内部を通過して排水管１７に流れ排水管１７から外部に排出される。
【００２７】
また、収容凹部１２ａの周面と蓋２０との間の隙間に直接入らず、蓋２０の上面に流れた湯水は、流れの勢いのまま蓋２０の縁部２０ｄ側から操作用凹部２２に向って、または、縁部２０ｂ，２０ｃ側から操作用凹部２２に向って流れる。そして、浴槽１０の縁部側で大きく開口した操作用凹部２２と収容凹部１２ａの周面との隙間から収容凹部１２ａ内に入っていく。収容凹部１２ａに入った湯水は、排水口部１５および排水管１７を介して外部に排出される。
【００２８】
この場合、多量の湯水が収容凹部１２ａ側に流れてきても、操作用凹部２２が大きく開口しているため十分な排水が行える。また、少量の湯水が蓋２０の上面に流れても、蓋２０の上面は、浴槽１０側の操作用凹部２２に向って下りになった傾斜面に形成されているため、湯水は徐々に集まって大きな流れになりながら操作用凹部２２側に流れて行く。さらに、蓋２０の上面には浅く細い溝２９が多数形成されているため、湯水が流れ易くなり蓋２０の上面の排水性が向上する。
【００２９】
また、入浴後に、浴槽１０内の湯または水を排出する場合には、操作スイッチ１３ａの操作により排水栓１３を開ける。これによって、浴槽１０内の湯または水は、排水口部等からなる排水構造を通過して排水管１７に流れ、排水管１７から外部に排出される。また、収容凹部１２ａ内を清掃する場合や、目皿１８がごみ等で詰まった場合には、蓋２０を収容凹部１２aから取り外す。
【００３０】
この際、操作用凹部２２に指を入れて蓋２０を持ち上げることにより蓋２０を容易に取り外すことができる。また、蓋２０の形状や突起２７aによって、蓋２０は一定の方向に向いた状態でのみ収容凹部１２ａに取り付け可能になっているため、清掃等が終了し、再度蓋２０を収容凹部１２ａに取り付ける際には、取り付け位置に間違いが生じることはなく、蓋２０は適正な状態で取り付けられる。
【００３１】
このように、本実施形態では、蓋２０の角部に対応する部分が曲面部２３ａ，２３ｂ，２４ａ，２４ｂに形成され、その曲面部２３ａ等にそれぞれ突起２７a等を設けている。このため、突起２７a等の形状は、目立たなくなるとともに、蓋２０のデザインの一部を構成するようになり美観が向上する。また、突起２７a等の数を少なくしても、がたつきを防止することができ、蓋２０の確実な固定が可能になる。また、蓋２０の着脱が容易になるとともに、取り付けの際に、取り付け位置の間違いが生じなくなる。
【００３２】
また、本発明にかかる浴槽排水口用蓋は、前述した実施形態に限定されるものでなく、技術的範囲内で適宜変更実施が可能である。例えば、前述した実施形態では、突起２７a等を６個設けているが、この突起２７a等は蓋２０の角部に対応する曲面部２３ａ等にそれぞれ１個ずつ設けて全部で４個にすることもできる。また、前述した実施形態では、蓋２０の形状を略四角形の板状に形成しているが、この形状は、角部に対応する部分が曲面部に形成された略三角形や略五角形、略六角形等の多角形、または、円形や楕円形に形成することもできる。蓋を略三角形に形成した場合には、突起の数は最小３個ですむ。また、蓋を構成する材料や、各部分の形状、傾斜の勾配、曲部の曲率半径の大きさ等も適宜変更可能である。
【図面の簡単な説明】
【００３３】
【図１】本発明の一実施形態による浴槽排水口用蓋を備えた浴槽ユニットを示した斜視図である。
【図２】浴槽排水口用蓋が取り付けられる収容凹部を含む排水構造を示した縦断面図である。
【図３】浴槽排水口用蓋を示した斜視図である。
【図４】図３に示した浴槽排水口用蓋の平面図である。
【図５】図４の５−５断面図である。
【符号の説明】
【００３４】
１２…洗い場フロア、１２ａ…収容凹部、１５…排水口部、１７…排水管、２０…蓋、２０ａ，２０ｂ，２０ｃ，２０ｄ…縁部、２２…操作用凹部、２３ａ，２３ｂ，２４ａ，２４ｂ…曲面部、２７ａ，２７ｂ，２８ａ，２８ｂ，２８ｃ，２８ｄ…突起、Ｙ…浴室ユニット。
【図１】
2005139738.tif 000003
【図２】
2005139738.tif 000004
【図３】
2005139738.tif 000005
【図４】
2005139738.tif 000006
【図５】
2005139738.tif 000007